(57)【要約】【課題】被転写体の搬送方向の分岐部における、引っかけられジャムの発生を防止して、そのレイアウトに自由度が増して小型で簡素化にして、視認性やメンテナンス性も良く、低コストで操作性も良い被転写体搬送装置、及び、その被転写体搬送装置を具備する画像形成装置を提供する。【解決手段】被転写体搬送路１に配置されて被転写体（Ｐ）を挟んで搬送する搬送ローラ対２と、上記搬送ローラ対２は上記被転写体搬送路１に固定して回転可能に保持された固定搬送ローラ２ａと上記固定搬送ローラ２ａを中心に回動して回転可能に保持された回動搬送ローラ２ｂとからなり、上記回動搬送ローラ２ｂを上記固定搬送ローラ２ａを中心に回動させる回動搬送ローラ回動手段３と、上記回動搬送ローラ回動手段３の回動で選択される搬送方向に分岐して搬送する分岐搬送路４とからなる。【選択図】　　　図１
2004059266.tif 000002
【特許請求の範囲】
【請求項１】
電子写真方法で形成されるトナー画像を転写する被転写体を搬送する被転写体搬送装置において、電子写真方法で形成されるトナー画像を転写する被転写体を搬送する被転写体搬送路と、上記被転写体搬送路に配置されて被転写体を挟んで搬送する一対の搬送ローラからなり、且つ上記被転写体搬送路に固定して回転可能に保持された固定搬送ローラと上記固定搬送ローラを中心に回動して回転可能に保持された回動搬送ローラとからなる搬送ローラ対と、上記回動搬送ローラを上記固定搬送ローラを中心に回動させる回動搬送ローラ回動手段と、上記回動搬送ローラ回動手段の回動で選択される搬送方向に被転写体を上記被転写体搬送路から複数方向に分岐して搬送する分岐搬送路と、からなることを特徴とする被転写体搬送装置。
【請求項２】
請求項１に記載の被転写体搬送装置において、回動搬送ローラ回動手段は、回動搬送ローラを固定搬送ローラを中心に、上記固定搬送ローラと上記回動搬送ローラのピッチ間距離の半径で回動させることを特徴とする被転写体搬送装置。
【請求項３】
請求項１又は２に記載の被転写体搬送装置において、回動搬送ローラ回動手段は、回動搬送ローラを回動駆動する回動搬送ローラ駆動源を備えることを特徴とする被転写体搬送装置。
【請求項４】
請求項１、２又は３に記載の被転写体搬送装置において、回動搬送ローラ回動手段は、操作パネルからの操作により回動搬送ローラを回動駆動することを特徴とする被転写体搬送装置。
【請求項５】
請求項１、２、３又は４に記載の被転写体搬送装置において、回動搬送ローラ回動手段は、被転写体搬送路内の搬送ローラ対側方向に搬送される被転写体を検知する被転写体検知手段を備えることを特徴とする被転写体搬送装置。
【請求項６】
請求項１、２、３、４又は５に記載の被転写体搬送装置において、分岐搬送路は、搬送ローラ対から搬送された被転写体を分岐口から下方向に搬送する下方向分岐搬送路と、上記搬送ローラ対から搬送された被転写体を上記分岐口から上方向に搬送する上方向分岐搬送路とからなることを特徴とする被転写体搬送装置。
【請求項７】
請求項１、２、３、４、５又は６に記載の被転写体搬送装置において、分岐搬送路は、被転写体が搬送される上流側に回転可能に保持された搬送方向矯正ローラを備えることを特徴とする被転写体搬送装置。
【請求項８】
請求項７に記載の被転写体搬送装置において、搬送方向矯正ローラは、自由に回転できる円筒状の円筒形状コロであることを特徴とする被転写体搬送装置。
【請求項９】
電子写真方法で形成されるトナー画像を搬送される被転写体に転写して画像を形成する画像形成装置において、上記請求項１乃至８の何れか一項に記載の被転写体搬送装置と、上記被転写体搬送装置で搬送される被転写体にトナー画像を作像する作像手段とからなることを特徴とする画像形成装置。
【請求項１０】
請求項９に記載の画像形成装置において、被転写体搬送装置は、分岐搬送路で被転写体搬送路から分岐した被転写体を反転手段に搬送することを特徴とする画像形成装置。
【請求項１１】
請求項９又は１０に記載の画像形成装置において、作像手段は、被転写体搬送装置で搬送される被転写体にカラーのトナー画像を作像することを特徴とする画像形成装置。
【発明の詳細な説明】
【０００１】
【発明の属する技術分野】
本発明は、被転写体搬送装置、及び、その被転写体搬送装置を具備する画像形成装置に関し、詳しくは、電子写真方法で形成されるトナー画像を転写する被転写体を搬送する被転写体搬送装置、及び、その被転写体搬送装置を具備する電子写真方法で形成されるトナー画像を搬送される被転写体に転写して画像を形成する複写機、ファクシミリ装置、プリンタあるいはこれらの複合機等の画像形成装置に関する。
【０００２】
【従来の技術】
被転写体搬送装置、及び、その被転写体搬送装置を具備する画像形成装置は、市場からの要求等にともなう、カラー複写機やカラープリンタ等、カラー化が多くなってきている。
例えば、現在、プリンタ、及び、コピアの市場において、モノクロの画像形成装置の占める割合は殆どであると考えられるが、ロ−エンド層においてインクジェットプリンタ等の拡販により、カラ−画像が近年評価されつつある。
カラ−画像を形成する画像形成装置のプリンタ、及び、コピア等は、高価なため、なかなか普及していないが、ビジネス等で使用時の視覚効果性は非常に良いために、高価な部品のコスト低減や、操作性の改良が望まれている。
特に、電子写真方法で形成される、特に、カラーのトナー画像を転写する被転写体（Ｐ）の転写用紙を搬送する被転写体搬送装置では、その特性上、どうしても被転写体（Ｐ）の転写用紙との、相性の悪さが、モノクロよりも顕著である。
これは、プロセス上の問題であり、モノクロのトナー画像では、トナー画像面の割合が少ない。
これに対して、カラ−のトナー画像の場合には、殆ど全面がトナー画像の度合いが強いために、自ずから、被転写体（Ｐ）の転写用紙との相性の悪さが発生してしまう。
例えば、被転写体（Ｐ）の転写用紙の搬送上、よく現れる、カ−ル癖の問題がある。
このカ−ル癖は、被転写体（Ｐ）の転写用紙に対する調湿具合とか、被転写体（Ｐ）の転写用紙の表面に付着させるトナ−の分散具合によって変化するもので、更に、各種の被転写体（Ｐ）の転写用紙が使用されているもので、その対応が極めて困難なものが種々あった。
例えば、画像形成装置用の用紙反転装置において、電子写真方式の複写機において、定着装置のコピーの排出部分から、排出トレイ等に向けて排出路の途中の部分に分岐爪を設けていて、複写機に設定された複写のモードが両面コピーや多重コピーの場合には、この分岐爪を揺動させて排出路を閉じ、片面複写済み用紙として形成されたコピーを戻し路に導入し、戻し路に設けた反転装置、及び、中間給紙部による片面複写済み用紙の取り扱い部分に向けて搬送して供給すること等は公知である（特許２６３８９５７号等の公報を参照）。
【０００３】
図９において、更に、具体的に説明すると、画像形成装置１１０における被転写体搬送装置１００は、被転写体搬送路１０１のガイド板の間を図示の矢印（Ａ）方向の搬送方向に搬送される、作像手段１１１で作像されたトナー画像が転写器１１２で転写され、定着器１１３で定着される被転写体（Ｐ）の転写用紙が、搬送ローラ対１０２の下搬送ローラ１０２ａと上搬送ローラ１０２ｂに咥えられて搬送する。
次に、被転写体（Ｐ）の転写用紙が、ソレノド１０３の駆動によって図示の矢印（Ｂ）方向に回動する分岐爪１０５によって、図示の矢印（Ｃ）方向、又は、図示の矢印（Ｄ）方向の分岐搬送路１０４の下方向分岐搬送路１０４ｂのガイド板の間、又は、上方向分岐搬送路１０４ｃのガイド板の間の分岐方向が選択されて、送り込まれて搬送されるようになっている。
このような構成の装置は、中速、又は、高速の画像形成装置１１０に多く搭載されている。
通常は、図示の矢印（Ｄ）方向の分岐搬送路１０４の上方向分岐搬送路１０４ｃのガイド板の先は排紙口になっており、図示の矢印（Ｃ）方向の下方向分岐搬送路１０４ｂのガイド板の先は反転部の両面転写部等になっている。
【０００４】
このように、搬送ローラ対１０２の下搬送ローラ１０２ａと上搬送ローラ１０２ｂから以降の被転写体（Ｐ）の転写用紙の搬送経路が２経路に分岐して、その分岐口１０４ａの位置で、ソレノイド１０３等の駆動装置により回動する分岐爪１０５は、被転写体（Ｐ）の転写用紙の搬送方向に対してリブを数本並べた形状であり、この形状部分に端部がカ−ルした被転写体（Ｐ）の転写用紙が引っかけられてジャムるだけでなく、装置も大型となり、被転写体（Ｐ）の転写用紙の搬送方向の分岐部のレイアウトを広く複雑にして、ジャム処理時の視認性が悪く、メンテナンス性も悪く、コスト高で操作性も悪かった。
従って、従来の被転写体搬送装置、及び、その被転写体搬送装置を具備する画像形成装置は、被転写体が引っかけられてジャムるだけでなく、大型となり、被転写体の搬送方向の分岐部のレイアウトを広く複雑にして、ジャム処理時等の視認性やメンテナンス性も悪く、コスト高で操作性も悪くなると言う不具合が生じていた。
【０００５】
【発明が解決しようとする課題】
従来の被転写体搬送装置、及び、その被転写体搬送装置を具備する画像形成装置は、被転写体が引っかけられてジャムるだけでなく、大型となり、被転写体の搬送方向の分岐部のレイアウトを広く複雑にして、ジャム処理時の視認性やメンテナンス性も悪く、コスト高で操作性も悪くなると言う問題が発生していた。
そこで本発明の課題は、このような問題点を解決するものである。即ち、被転写体の搬送方向の分岐部における、引っかけられジャムの発生を防止して、そのレイアウトに自由度が増して小型で簡素化にして、視認性やメンテナンス性も良く、低コストで操作性も良い被転写体搬送装置、及び、その被転写体搬送装置を具備する画像形成装置を提供することを目的とする。
【０００６】
【課題を解決するための手段】
上記目的を達成するために、請求項１の本発明は、電子写真方法で形成されるトナー画像を転写する被転写体を搬送する被転写体搬送装置において、電子写真方法で形成されるトナー画像を転写する被転写体を搬送する被転写体搬送路と、上記被転写体搬送路に配置されて被転写体を挟んで搬送する一対の搬送ローラからり、且つ上記被転写体搬送路に固定して回転可能に保持された固定搬送ローラと上記固定搬送ローラを中心に回動して回転可能に保持された回動搬送ローラとからなる搬送ローラ対と、上記回動搬送ローラを上記固定搬送ローラを中心に回動させる回動搬送ローラ回動手段と、上記回動搬送ローラ回動手段の回動で選択される搬送方向に被転写体を上記被転写体搬送路から複数方向に分岐して搬送する分岐搬送路と、からなる被転写体搬送装置であることを最も主要な特徴とする。
請求項２の本発明は、請求項１に記載の被転写体搬送装置において、回動搬送ローラ回動手段は、回動搬送ローラを固定搬送ローラを中心に、上記固定搬送ローラと上記回動搬送ローラのピッチ間距離の半径で回動させる被転写体搬送装置であることを主要な特徴とする。
請求項３の本発明は、請求項１又は２に記載の被転写体搬送装置において、回動搬送ローラ回動手段は、回動搬送ローラを回動駆動する回動搬送ローラ駆動源を備える被転写体搬送装置であることを主要な特徴とする。
請求項４の本発明は、請求項１、２又は３に記載の被転写体搬送装置において、回動搬送ローラ回動手段は、操作パネルからの操作により回動搬送ローラを回動駆動する被転写体搬送装置であることを主要な特徴とする。
請求項５の本発明は、請求項１、２、３又は４に記載の被転写体搬送装置において、回動搬送ローラ回動手段は、被転写体搬送路内の搬送ローラ対側方向に搬送される被転写体を検知する被転写体検知手段を備える被転写体搬送装置であることを主要な特徴とする。
【０００７】
請求項６の本発明は、請求項１、２、３、４又は５に記載の被転写体搬送装置において、分岐搬送路は、搬送ローラ対から搬送された被転写体を分岐口から下方向に搬送する下方向分岐搬送路と、上記搬送ローラ対から搬送された被転写体を上記分岐口から上方向に搬送する上方向分岐搬送路とからなる被転写体搬送装置であることを主要な特徴とする。
請求項７の本発明は、請求項１、２、３、４、５又は６に記載の被転写体搬送装置において、分岐搬送路は、被転写体が搬送される上流側に回転可能に保持された搬送方向矯正ローラを備える被転写体搬送装置であることを主要な特徴とする。
請求項８の本発明は、請求項７に記載の被転写体搬送装置において、搬送方向矯正ローラは、自由に回転できる円筒状の円筒形状コロである被転写体搬送装置であることを主要な特徴とする。
請求項９の本発明は、電子写真方法で形成されるトナー画像を搬送される被転写体に転写して画像を形成する画像形成装置において、上記請求項１乃至８の何れか一項に記載の被転写体搬送装置と、上記被転写体搬送装置で搬送される被転写体にトナー画像を作像する作像手段とからなる画像形成装置であることを最も主要な特徴とする。
請求項１０の本発明は、請求項９に記載の画像形成装置において、被転写体搬送装置は、分岐搬送路で被転写体搬送路から分岐した被転写体を反転手段に搬送する画像形成装置であることを主要な特徴とする。
請求項１１の本発明は、請求項９又は１０に記載の画像形成装置において、作像手段は、被転写体搬送装置で搬送される被転写体にカラーのトナー画像を作像する画像形成装置であることを主要な特徴とする。
【０００８】
【作用】
上記のように構成された被転写体搬送装置及びその被転写体搬送装置を具備する画像形成装置は、請求項１においては、電子写真方法で形成されるトナー画像を転写する被転写体を搬送する被転写体搬送路に配置されて被転写体を挟んで搬送する一対の搬送ローラからなり、且つ被転写体搬送路に固定して回転可能に保持された固定搬送ローラと固定搬送ローラを中心に回動して回転可能に保持された回動搬送ローラとからなる搬送ローラ対と、回動搬送ローラ回動手段により回動搬送ローラを固定搬送ローラを中心に回動させて、その回動で選択される搬送方向に被転写体を被転写体搬送路から複数方向に分岐して分岐搬送路に搬送する。
請求項２においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に固定搬送ローラと回動搬送ローラのピッチ間距離の半径で回動して回転可能に保持された回動搬送ローラとからなり、回動搬送ローラ回動手段により回動搬送ローラを固定搬送ローラを中心に回動させて、その回動で選択される搬送方向に被転写体を被転写体搬送路から複数方向に分岐して分岐搬送路に搬送する。
請求項３においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に回動して回転可能に保持された回動搬送ローラとからなり、回動搬送ローラ回動手段の回動搬送ローラ駆動源の回動駆動により回動搬送ローラを固定搬送ローラを中心に回動させて、その回動で選択される搬送方向に被転写体を被転写体搬送路から複数方向に分岐して分岐搬送路に搬送する。
請求項４においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に回動して回転可能に保持された回動搬送ローラとからなり、操作パネルからの回動搬送ローラ回動手段により回動搬送ローラを固定搬送ローラを中心に回動させて、その回動で選択される搬送方向に被転写体を被転写体搬送路から複数方向に分岐して分岐搬送路に搬送する。
【０００９】
請求項５においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に回動して回転可能に保持された回動搬送ローラとからなり、回動搬送ローラ回動手段により回動搬送ローラを固定搬送ローラを中心に回動させて、その回動で選択される搬送方向に被転写体を被転写体搬送路から複数方向に分岐して分岐搬送路に搬送すると共に回動搬送ローラ回動手段の被転写体検知手段は被転写体搬送路内の搬送ローラ対側方向に搬送される被転写体を検知する。
請求項６においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に回動して回転可能に保持された回動搬送ローラとからなり、回動搬送ローラ回動手段により回動搬送ローラを固定搬送ローラを中心に回動させて、その回動で選択される搬送方向に被転写体を被転写体搬送路から複数方向に分岐して分岐搬送路の搬送ローラ対から搬送された被転写体を分岐口から下方向に搬送する下方向分岐搬送路、又は、搬送ローラ対から搬送された被転写体を分岐口から上方向に搬送する上方向分岐搬送路に搬送する。
請求項７においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に回動して回転可能に保持された回動搬送ローラとからなり、回動搬送ローラ回動手段により回動搬送ローラを固定搬送ローラを中心に回動させて、その回動で選択される搬送方向に被転写体を被転写体搬送路から複数方向に分岐して分岐搬送路に搬送すると共に分岐搬送路は被転写体が搬送される上流側に搬送方向矯正ローラを回転可能に保持する。
【００１０】
請求項８においては、電子写真方法で形成されるトナー画像を転写する被転写体を搬送する被転写体搬送路に配置されて被転写体を挟んで搬送する一対の搬送ローラからなる搬送ローラ対は、被転写体搬送路に固定して回転可能に保持された固定搬送ローラと固定搬送ローラを中心に回動して回転可能に保持された回動搬送ローラとからなり、回動搬送ローラ回動手段により回動搬送ローラを固定搬送ローラを中心に回動させて、その回動で選択される搬送方向に被転写体を被転写体搬送路から複数方向に分岐して分岐搬送路に搬送すると共に分岐搬送路は被転写体が搬送される上流側に搬送方向矯正ローラの自由に回転できる円筒状の円筒形状コロを回転可能に保持する。
請求項９においては、上記請求項１乃至８の何れか一項に記載の被転写体搬送装置で搬送される被転写体に作像手段でトナー画像を作像する。
請求項１０においては、上記請求項１乃至８の何れか一項に記載の被転写体搬送装置で反転手段に搬送される被転写体に作像手段でトナー画像を作像する。
請求項１１においては、上記請求項１乃至８の何れか一項に記載の被転写体搬送装置で搬送される被転写体に作像手段でカラーのトナー画像を作像する。
【００１１】
【発明の実施の形態】
次に、本発明の実施の形態を図面を参照して詳細に説明する。
図１において、電子写真方法で形成されるトナー画像を転写する被転写体を搬送する被転写体搬送装置０は、電子写真方法で形成されるトナー画像を転写する被転写体（Ｐ）の転写用紙を図示の矢印（Ｅ）方向に搬送する被転写体搬送路１のガイド板等と、上記被転写体搬送路１のガイド板等に配置されて被転写体（Ｐ）の転写用紙を挟んで搬送する一対の搬送ローラからなる搬送ローラ対２と、上記搬送ローラ対２は上記被転写体搬送路１のガイド板等に固定して図示しない駆動源で回転可能に保持された固定搬送ローラ２ａと上記固定搬送ローラ２ａを中心に回動して回転可能に保持された回動搬送ローラ２ｂとからなり、上記回動搬送ローラ２ｂを上記固定搬送ローラ２ａを中心に図示の矢印（Ｆ）方向に回動させる回動搬送ローラ回動手段３の回動リンクと、上記回動搬送ローラ回動手段３の回動リンクの回動で選択される搬送方向に被転写体（Ｐ）の転写用紙を上記被転写体搬送路１から複数方向に分岐して搬送する分岐搬送路４の分岐口４ａから図示の矢印（Ｇ）方向の下方向に搬送する下方向分岐搬送路４ｂ、又は、上記分岐口４ａから図示の矢印（Ｈ）方向の上方向に搬送する上方向分岐搬送路４ｃとからなり、被転写体（Ｐ）の転写用紙の搬送方向の上記分岐搬送路４の上記分岐口４ａの分岐部における、従来の分岐爪を排除して、引っかけられジャムの発生を防止して、そのレイアウトに自由度が増して小型で最も簡素化にして、視認性やメンテナンス性も良く、低コストで操作性も良い。
【００１２】
上記回動搬送ローラ２ｂは、両端部２ｂ１を図示の矢印（Ｆ）方向に案内する案内溝３ｄ内に圧縮スプリング３ｅで図示の矢印（Ｉ）方向に付勢して摺動可能に保持されているから、上記回動搬送ローラ回動手段３の回動リンクが上記回動搬送ローラ２ｂの両端部を押し付けて、上記固定搬送ローラ２ａと上記回動搬送ローラ２ｂのピッチ間距離の半径で図示の矢印（Ｆ）方向に確実に回動するようになっている。
上記回動搬送ローラ回動手段３の回動リンクは、回動搬送ローラ駆動源３ａのソレノイドで、上記回動搬送ローラ２ｂを自動的に所定の回動駆動をするようになっている。
従って、上記回動搬送ローラ回動手段３の回動リンクの自動的な回動で、上記搬送ローラ対２の図示しない駆動源で回転駆動される上記固定搬送ローラ２ａと上記回動搬送ローラ２ｂのニップ方向を振ることにより変化させて、上記分岐搬送路４の最も簡素化された上記分岐口４ａから図示の矢印（Ｇ）方向の下方向に搬送する上記下方向分岐搬送路４ｂ、又は、上記分岐口４ａから図示の矢印（Ｈ）方向の上方向に搬送する上記上方向分岐搬送路４ｃに、被転写体（Ｐ）の転写用紙が確実に分岐搬送される。
【００１３】
図２と図３において、上記被転写体搬送装置０は、上記搬送ローラ対２の上下に並んで配置されている図示しない駆動源で回転駆動される上記固定搬送ローラ２ａと上記回動搬送ローラ２ｂは、上記被転写体搬送路１のガイド板内の図示の矢印（Ｅ）方向から上記下方向分岐搬送路４ｂの図示の矢印（Ｇ）方向に分岐して搬送されるようになっている（図２を参照）。
そこで、被転写体（Ｐ）の転写用紙の搬送方向を変える時には、上記回動搬送ローラ駆動源３ａのソレノイドの駆動により図示の矢印（Ｊ）方向に回動する上記回動搬送ローラ回動手段３の回動リンクにより、上記回動搬送ローラ２ｂが上記固定搬送ローラ２ａを中心に図示の矢印（Ｋ）方向に回動してニップ方向の角度を変えることにより、上記被転写体搬送路１のガイド板内の図示の矢印（Ｅ）方向から上記上方向分岐搬送路４ｃの図示の矢印（Ｈ）方向に分岐して搬送されるようになっている（図３を参照）。
従って、この動作の繰り返しを行なうことで、被転写体（Ｐ）の転写用紙の搬送方向の上記分岐搬送路４の上記分岐口４ａの分岐部における、従来の分岐爪を排除して、引っかけられジャムの発生を防止して、そのレイアウトに自由度が増して小型で簡素化にして、視認性やメンテナンス性も良く、低コストで操作性も良く被転写体（Ｐ）の転写用紙の搬送を自動的に確実に行なう上記被転写体搬送装置０を提供することが出来るようになった。
【００１４】
図４と図５について、上記分岐搬送路４は、上記分岐口４ａから上記下方向分岐搬送路４ｂ、又は、上記上方向分岐搬送路４ｃに被転写体（Ｐ）の転写用紙が搬送される上流側に回転可能に保持された搬送方向矯正ローラ４ｄの自由に回転できる円筒状の円筒形状コロ４ｄ１が配置されている。
上記搬送ローラ対２の上下に並んで配置されている図示しない駆動源で回転駆動される上記固定搬送ローラ２ａと上記回動搬送ローラ２ｂから上記分岐搬送路４の上記分岐口４ａの付近まで送り出されて搬送された被転写体（Ｐ）の転写用紙の先端は、上記搬送方向矯正ローラ４ｄの自由に回転できる円筒状の上記円筒形状コロ４ｄ１の図示の矢印（Ｌ）、又は、図示の矢印（Ｍ）の円筒形状の各外周面に乗り上げる状態で搬送されるために、被転写体（Ｐ）の転写用紙の先端がカールしているような状態でも、引っかけられることがなく、ジャムの発生を、更に、確実に防止して、分岐搬送が行なわれる。
従って、被転写体（Ｐ）の転写用紙の搬送方向の上記分岐搬送路４の上記分岐口４ａの分岐部における、従来の分岐爪を排除して、引っかけられジャムの発生を、更に、確実に防止して、そのレイアウトに自由度が増して小型で簡素化にして、視認性やメンテナンス性も良く、低コストで操作性も良く被転写体（Ｐ）の転写用紙の搬送を自動的に確実に行なう上記被転写体搬送装置０を提供することが出来るようになった。
【００１５】
図６において、被転写体検知手段３ｃは、上記被転写体搬送路１から上記搬送ローラ対２の上記固定搬送ローラ２ａと上記回動搬送ローラ２ｂ側方向に搬送される被転写体（Ｐ）の転写用紙を検知するように配置されている。
上記被転写体検知手段３ｃから上記被転写体搬送路１を搬送されて上記搬送ローラ対２の上記固定搬送ローラ２ａと上記回動搬送ローラ２ｂの排紙部までの距離を（ｌ）として、上記被転写体検知手段３ｃが検知した被転写体（Ｐ）の転写用紙の先端が搬送距離（ｌ）を搬送された時に、制御手段３ｆのＣＰＵにより、上記回動搬送ローラ駆動源３ａのソレノイドがスイッチのオン（ＯＮ）で印加されて駆動して、上記回動搬送ローラ２ｂを上記固定搬送ローラ２ａを中心に図示の矢印（Ｆ）方向に回動させて、上記搬送ローラ対２の上記固定搬送ローラ２ａと上記回動搬送ローラ２ｂのニップ方向を他の分岐搬送方向に自動的に容易に変更することが出来るようになっている。
上記被転写体検知手段３ｃが上記被転写体搬送路１を搬送され被転写体（Ｐ）の転写用紙の先端を検知した後に、上記搬送ローラ対２の上記固定搬送ローラ２ａと上記回動搬送ローラ２ｂに咥えられて搬送されている状態の時に、上記回動搬送ローラ駆動源３ａのソレノイドをスイッチのオン（ＯＮ）で印加して駆動させて、咥えられている加圧を解除しながら上記搬送ローラ対２の上記固定搬送ローラ２ａと上記回動搬送ローラ２ｂのニップ方向を他の上記下方向分岐搬送路４ｂの図示の矢印（Ｇ）方向、又は、上記上方向分岐搬送路４ｃの図示の矢印（Ｈ）方向の分岐搬送方向に、自動的に容易に変更することが可能になる。
これは、次に搬送される被転写体（Ｐ）の転写用紙のための動作で、前後に搬送される被転写体（Ｐ）の転写用紙間に余裕がない場合に、予めこの動作を加えることにより、次に搬送される被転写体（Ｐ）の転写用紙の搬送切換動作にスムースに自動的に移ることが出来る。
更に、操作パネル３ｂからの操作で、上記制御手段３ｆのＣＰＵにより、上記回動搬送ローラ駆動源３ａのソレノイドがスイッチのオン（ＯＮ）で印加されて駆動して、上記回動搬送ローラ２ｂを上記固定搬送ローラ２ａを中心に図示の矢印（Ｆ）方向に回動させて、上記搬送ローラ対２の上記固定搬送ローラ２ａと上記回動搬送ローラ２ｂのニップ方向を他の上記下方向分岐搬送路４ｂの図示の矢印（Ｇ）方向、又は、上記上方向分岐搬送路４ｃの図示の矢印（Ｈ）方向の分岐搬送方向に、離れた操作部からでも自動的に容易な遠隔操作で変更することが出来るようになっている。
【００１６】
図７と図８において、電子写真方法で形成されるトナー画像を搬送される被転写体に転写して画像を形成する画像形成装置１０は、上記請求項１乃至８の何れか一項に記載の上記被転写体搬送装置０と、上記被転写体搬送装置０で搬送される被転写体（Ｐ）の転写用紙にトナー画像を作像する作像手段１１とからなり、被転写体（Ｐ）の転写用紙の搬送方向の分岐部における、引っかけられジャムの発生を防止して、そのレイアウトに自由度が増して小型で簡素化にして、視認性やメンテナンス性も良く、低コストで操作性も良い。
上記画像形成装置１０は、上記作像手段１１、上記作像手段１１を載せる給紙テーブル２０、上記作像手段１１上に取り付けるスキャナ３０、更に、その上に取り付ける原稿自動搬送装置（ＡＤＦ）４０で構成されている。
上記作像手段１１には、中央に、無端ベルト状の中間転写体の中間転写ベルト１１ｆを設ける。
上記中間転写ベルト１１ｆは、ベース層を、例えば、伸びの少ないフッ素系樹脂や伸びの大きなゴム材料に帆布などの伸びにくい材料で構成された基層をつくり、その上に弾性層を設け、弾性層は、例えば、フッ素系ゴムやアクリロニトリル−ブタジエン共重合ゴムなどでつくり、その上記弾性層の表面は、例えば、フッ素系樹脂をコーティングして平滑性のよいコート層で被っている。
そして、上記中間転写体ベルト１１ｆは、３つの支持ローラ１１ｆ１、支持ローラ１１ｆ２、支持ローラ１１ｆ３に掛け回して、図示の矢印（Ｏ）方向の時計回り方向に回転搬送可能に支持されている。
３つの上記支持ローラ１１ｆ１、上記支持ローラ１１ｆ２、上記支持ローラ１１ｆ３のなかで、上記支持ローラ１１ｆ２の左に、トナー画像の転写後に上記中間転写ベルト１１ｆ上に残留する残留トナーを除去する中間転写体ベルトクリーニング装置１１ｆ４が配置されている。
又、３つのなかで上記支持ローラ１１ｆ１と支持ローラ１１ｆ２間に張り渡した上記中間転写ベルト１１ｆ上には、その搬送方向に沿って、４つの上記ブラック作像ユニット１１ａ１、上記マゼンタ作像ユニット１１ａ２、上記シアン作像ユニット１１ａ３、上記イエロー作像ユニット１１ａ４を順次に横に並べて配置したタンデム型の上記作像手段１１の作像ユニット１１ａを構成する。
タンデム型の上記作像ユニット１１ａの上には、更に、露光手段１１ｇが配置されている。
【００１７】
一方、上記中間転写ベルト１１ｆを挟んでタンデム型の上記作像ユニット１１ａと反対の側には、２次転写手段１２を備える。
上記２次転写手段１２の無端ベルトである２次転写ベルト１２ａは、ローラ１２ｂとローラ１２ｃ間に掛け渡して構成し、上記中間転写ベルト１１ｆを介して上記支持ローラ１１ｆ３に押し当てて配置し、上記中間転写ベルト１１ｆ上のトナー画像を被転写体（Ｐ）の転写用紙に転写する。
上記２次転写手段１２の横には、被転写体（Ｐ）の転写用紙上の転写トナー画像を定着する定着手段１３を設ける。
上記定着手段１３は、無端ベルトである定着ベルト１３ａに加圧ローラ１３ｂを押し当てて構成する。
上記２次転写手段１２には、トナー画像転写後の被転写体（Ｐ）の転写用紙を上記定着手段１３へと搬送するシート搬送機能も備えてなる。もちろん、上記２次転写手段１２として、転写ローラや非接触のチャージャを配置してもよく、そのような場合は、このシート搬送機能を併せて備えることは難しくなる。
更には、上記２次転写手段１２、及び、上記定着手段１３の下に、上記作像ユニット１１ａと平行に、被転写体（Ｐ）の転写用紙の両面にトナー画像を記録すべく被転写体（Ｐ）の転写用紙を反転する反転手段１４を備えている。
【００１８】
さて、上記画像形成装置１０を用いてトナー画像を形成するときは、上記原稿自動搬送装置（ＡＤＦ）４０の原稿台４１上に原稿（Ｏ）をセットする。
又は、上記原稿自動搬送装置（ＡＤＦ）４０前面側を図示の矢印（Ｑ）方向に開いて、上記スキャナ３０のコンタクトガラス３１上に原稿（Ｏ）をセットし、上記原稿自動搬送装置（ＡＤＦ）４０を閉じて、それで押さえる。
そして、不図示の電源をＯＮしてスタートスイッチを押すと、上記原稿自動搬送装置（ＡＤＦ）４０に原稿（Ｏ）をセットしたときは、原稿（Ｏ）を搬送して上記コンタクトガラス３１上へと移動して後、他方上記コンタクトガラス３１上に原稿（Ｏ）をセットしたときは、直ちに上記スキャナ３０を駆動し、第１走行体３２、及び、第２走行体３３が走行する。
上記第１走行体３２で光源３２ａから光を発射するとともに原稿（Ｏ）面からの反射光をさらに反射して上記第２走行体３３に向け、上記第２走行体３３のミラー３３ａで反射して結像レンズ３４を通して読取りセンサ３５に入れ、原稿（Ｏ）の内容を読み取る。
又、不図示の電源をＯＮしてスタートスイッチを押すと、不図示の駆動モータで、上記支持ローラ１１ｆ１、上記支持ローラ１１ｆ２、上記支持ローラ１１ｆ３の１つを回転駆動して他の２つを従動回転し、中間転写体の上記中間転写ベルト１１ｆを回転搬送する。
【００１９】
同時に、タンデム型の上記作像ユニット１１ａの順次に横に並べて配置した上記ブラック作像ユニット１１ａ１、上記マゼンタ作像ユニット１１ａ２、上記シアン作像ユニット１１ａ３、上記イエロー作像ユニット１１ａ４の像担持体１１ｂのブラック像担持体１１ｂ１のドラム形状の感光体、マゼンタ像担持体１１ｂ２のドラム形状の感光体、シアン像担持体１１ｂ３のドラム形状の感光体、イエロー像担持体１ｂ４のドラム形状の感光体を回転して、帯電器１１ｃの各ブラック帯電器１１ｃ１、マゼンタ帯電器１１ｃ２、シアン帯電器１１ｃ３、イエロー帯電器１１ｃ４により一様に帯電された表面に上記露光手段１ｇで形成された各潜像を現像手段１１ｄの各ブラック現像手段１１ｄ１、マゼンタ現像手段１１ｄ２、シアン現像手段１１ｄ３、イエロー現像手段１１ｄ４により、上記像担持体１１ｂの各上記ブラック像担持体１１ｂ１のドラム形状の感光体、上記マゼンタ像担持体１１ｂ２のドラム形状の感光体、上記シアン像担持体１１ｂ３のドラム形状の感光体、上記イエロー像担持体１１ｂ４上にそれぞれ、ブラック、マゼンタ、シアン、イエローの単色トナー画像を形成する。
そして、中間転写体の上記中間転写ベルト１１ｆの搬送とともに、それらの単色トナー画像を転写手段１１ｅのブラック転写器１１ｅ１、マゼンタ転写器１１ｅ２、シアン転写器１１ｅ３、イエロー転写器１１ｅ４で順次転写して中間転写体の上記中間転写ベルト１１ｆ上に合成カラートナー画像を形成する。
中間転写体の上記中間転写ベルト１１ｆ上に、それらの単色トナー画像を順次転写した上記像担持体１１ｂの各上記ブラック像担持体１１ｂ１のドラム形状の感光体、上記マゼンタ像担持体１１ｂ２のドラム形状の感光体、上記シアン像担持体１１ｂ３のドラム形状の感光体、上記イエロー像担持体１１ｂ４上に残留して付着した転写残トナー等の付着物をクリーニング手段１１ｈの各ブラック・クリーニング手段１１ｈ１、マゼンタ・クリーニング手段１１ｈ２、シアン・クリーニング手段１１ｈ３、イエロー・クリーニング手段１１ｈ４により掻き落されて除去されて、次工程のトナー画像の形成に備えるようになっている。
【００２０】
一方、不図示の電源をＯＮしてスタートスイッチを押すと、上記給紙テーブル２０の給紙ローラ２１の１つを選択回転し、ペーパーバンク２２に多段に備える給紙カセット２３の１つから被転写体（Ｐ）の転写用紙を繰り出し、分離ローラ２４で１枚ずつ分離して給紙路２５に入れ、搬送ローラ２６で搬送して上記作像手段１１内の給紙路１１ｉに導き、レジストローラ１１ｉ１に突き当てて止める。
又は、給紙ローラ１１ｉ２を回転して手差しトレイ１１ｉ３上の被転写体（Ｐ）の転写用紙を繰り出し、分離ローラ１１ｉ４で１枚ずつ分離して手差し給紙路１１ｉ５に入れ、同じく上記レジストローラ１１ｉ１に突き当てて止める。
そして、中間転写体の上記中間転写ベルト１１ｆ上の合成カラーのトナー画像にタイミングを合わせて上記レジストローラ１１ｉ１を回転し、中間転写体の上記中間転写ベルト１１ｆと上記２次転写手段１２の上記２次転写ベルト１２ａとの間に被転写体（Ｐ）の転写用紙を送り込み、上記２次転写手段１２で転写して被転写体（Ｐ）の転写用紙上にカラーのトナー画像を形成する。
トナー画像転写後の被転写体（Ｐ）の転写用紙は、上記２次転写手段１２で搬送して上記定着手段１３へと送り込み、上記定着手段１３で熱と圧力とを加えて転写トナー画像を定着して後、上記被転写体搬送装置０で分岐して排出ローラ２７で排出し、排紙トレイ２８上にスタックする。
又は、上記被転写体搬送装置０で分岐して上記反転手段１４に入れ、そこで反転して再び転写位置へと導き、裏面にもトナー画像を形成して後、上記排出ローラ２７で上記排紙トレイ２８上に排出する。
【００２１】
一方、トナー画像転写後の中間転写体の上記中間転写ベルト１１ｆは、上記中間転写体ベルトクリーニング装置１１ｆ４で、トナー画像転写後に中間転写体の上記中間転写ベルト１１ｆ上に残留する残留トナーを除去し、タンデム型の上記作像ユニット１１ａによる再度のトナー画像形成に備える。
ここで、上記レジストローラ１１ｉ１は一般的には接地されて使用されることが多いが，被転写体（Ｐ）の紙粉除去のためにバイアスを印加することも可能である。
従って、被転写体（Ｐ）の転写用紙の搬送方向の、上記反転手段１４等に搬送する分岐部における、従来の分岐爪を排除して、引っかけられジャムの発生を防止して、そのレイアウトに自由度が増して小型で簡素化にして、視認性やメンテナンス性も良く、低コストで操作性も良く、カラーのトナー画像をも作像する上記被転写体搬送装置０を具備する上記画像形成装置１０を提供することが出来るようになった。
【００２２】
【発明の効果】
本発明は、以上説明したように構成されているので、請求項１の発明によれば、被転写体の搬送方向の分岐部における、従来の分岐爪を排除して、引っかけられジャムの発生を防止して、そのレイアウトに自由度が増して小型で簡素化にして、視認性やメンテナンス性も良く、低コストで操作性も良い被転写体搬送装置を提供することが出来るようになった。
請求項２の発明によれば、被転写体の搬送方向の分岐部における、従来の分岐爪を排除して、引っかけられジャムの発生を防止して、被転写体の搬送を確実に行なう、そのレイアウトに自由度が増して小型で簡素化にして、視認性やメンテナンス性も良く、低コストで操作性も良い被転写体搬送装置を提供することが出来るようになった。
請求項３の発明によれば、被転写体の搬送方向の分岐部における、従来の分岐爪を排除して、引っかけられジャムの発生を防止して、被転写体の搬送を自動的に行なう、そのレイアウトに自由度が増して小型で簡素化にして、視認性やメンテナンス性も良く、低コストで操作性も良い被転写体搬送装置を提供することが出来るようになった。
請求項４の発明によれば、被転写体の搬送方向の分岐部における、従来の分岐爪を排除して、引っかけられジャムの発生を防止して、分岐搬送方向に離れた操作部からでも容易な遠隔操作で変更が可能となり、そのレイアウトに自由度が増して小型で簡素化にして、視認性やメンテナンス性も良く、低コストで操作性も良い被転写体搬送装置を提供することが出来るようになった。
請求項５の発明によれば、被転写体の搬送方向の分岐部における、従来の分岐爪を排除して、引っかけられジャムの発生を防止して、次に搬送される被転写体の搬送切換動作が自動的にスムースに行なわれ、そのレイアウトに自由度が増して小型で簡素化にして、視認性やメンテナンス性も良く、低コストで操作性も良い被転写体搬送装置を提供することが出来るようになった。
【００２３】
請求項６の発明によれば、被転写体の搬送方向の分岐部における、従来の分岐爪を排除して、引っかけられジャムの発生を防止して、そのレイアウトに自由度が増して小型で更に簡素化にして、視認性やメンテナンス性も良く、低コストで操作性も良い被転写体搬送装置を提供することが出来るようになった。
請求項７の発明によれば、被転写体の搬送方向の分岐部における、従来の分岐爪を排除して、被転写体の先端がカールしているような状態でも、引っかけられジャムの発生を確実に防止して、そのレイアウトに自由度が増して小型で簡素化にして、視認性やメンテナンス性も良く、低コストで操作性も良い被転写体搬送装置を提供することが出来るようになった。
請求項８の発明によれば、被転写体の搬送方向の分岐部における、従来の分岐爪を排除して、被転写体の先端がカールしているような状態でも、引っかけられジャムの発生を更に確実に防止して、そのレイアウトに自由度が増して小型で簡素化にして、視認性やメンテナンス性も良く、低コストで操作性も良い被転写体搬送装置を提供することが出来るようになった。
請求項９の発明によれば、被転写体の搬送方向の分岐部における、従来の分岐爪を排除して、引っかけられジャムの発生を防止して、そのレイアウトに自由度が増して小型で簡素化にして、視認性やメンテナンス性も良く、低コストで操作性も良い被転写体搬送装置を具備する画像形成装置を提供することが出来るようになった。
請求項１０の発明によれば、被転写体の反転手段への搬送方向の分岐部における、引っかけられジャムの発生を防止して、従来の分岐爪を排除して、そのレイアウトに自由度が増して小型で簡素化にして、視認性やメンテナンス性も良く、低コストで操作性も良い被転写体搬送装置を具備する画像形成装置を提供することが出来るようになった。
請求項１１の発明によれば、被転写体の搬送方向の分岐部における、従来の分岐爪を排除して、引っかけられジャムの発生を防止して、そのレイアウトに自由度が増して小型で簡素化にして、視認性やメンテナンス性も良く、低コストで操作性も良く、搬送される被転写体にカラーのトナー画像をも作像する被転写体搬送装置を具備する画像形成装置を提供することが出来るようになった。
【図面の簡単な説明】
【図１】本発明の実施の形態例を示す被転写体搬送装置を説明する斜視図である。
【図２】本発明の実施の形態例を示す被転写体搬送装置の主要部の状態を説明する説明図である。
【図３】本発明の実施の形態例を示す被転写体搬送装置の主要部の他の状態を説明する説明図である。
【図４】本発明の実施の形態例を示す被転写体搬送装置の他の主要部を説明する斜視図である。
【図５】本発明の実施の形態例を示す被転写体搬送装置の他の主要部を説明する説明図である。
【図６】本発明の実施の形態例を示す被転写体搬送装置の他の主要部を説明する説明図である。
【図７】本発明の実施の形態例を示す被転写体搬送装置を具備する画像形成装置を説明する説明図である。
【図８】本発明の実施の形態例を示す被転写体搬送装置を具備する画像形成装置の主要部を説明する拡大説明図である。
【図９】従来の被転写体搬送装置を説明する斜視図である。
【符号の説明】
０　被転写体搬送装置
１　被転写体搬送路
２　搬送ローラ対、２ａ　固定搬送ローラ、
２ｂ　回動搬送ローラ、２ｂ１　両端部
３　回動搬送ローラ回動手段、３ａ　回動搬送ローラ駆動源、
３ｂ　操作パネル、
３ｃ　被転写体検知手段、
３ｄ　案内溝、
３ｅ　圧縮スプリング、
３ｆ　制御手段
４　分岐搬送路、４ａ　分岐口、
４ｂ　下方向分岐搬送路、
４ｃ　上方向分岐搬送路、
４ｄ　搬送方向矯正ローラ、４ｄ１　円筒形状コロ
１０　画像形成装置
１１　作像手段、１１ａ　作像ユニット、１１ａ１　ブラック作像ユニット、
１１ａ２　マゼンタ作像ユニット、
１１ａ３　シアン作像ユニット、
１１ａ４　イエロ−作像ユニット、
１１ｂ　像担持体、１１ｂ１　ブラック像担持体、
１１ｂ２　マゼンタ像担持体、
１１ｂ３　シアン像担持体、
１１ｂ４　イエロー像担持体、
１１ｃ　帯電器、１１ｃ１　ブラック帯電器、
１１ｃ２　マゼンタ帯電器、
１１ｃ３　シアン帯電器、
１１ｃ４　イエロー帯電器、
１１ｄ　現像手段、１１ｄ１　ブラック現像手段、
１１ｄ２　マゼンタ現像手段、
１１ｄ３　シアン現像手段、
１１ｄ４　イエロー現像手段、
１１ｅ　転写手段、１１ｅ１　ブラック転写器、
１１ｅ２　マゼンタ転写器、
１１ｅ３　シアン転写器、
１１ｅ４　イエロー転写器、
１１ｆ　中間転写ベルト、１１ｆ１　支持ローラ、
１１ｆ２　支持ローラ、
１１ｆ３　支持ローラ、
１１ｆ４　中間転写体ベルトクリーニング装置、
１１ｇ　露光手段、
１１ｈ　クリーニング手段、
１１ｈ１　ブラック・クリーニング手段、
１１ｈ２　マゼンタ・クリーニング手段、
１１ｈ３　シアン・クリーニング手段、
１１ｈ４　イエロー・クリーニング手段、
１１ｉ　給紙路、１１ｉ１　レジストローラ、
１１ｉ２　給紙ローラ、
１１ｉ３　手差しトレイ、
１１ｉ４　分離ローラ、
１１ｉ５　給紙路
１２　２次転写手段、１２ａ　２次転写ベルト、
１２ｂ　ローラ、
１２ｃ　ローラ
１３　定着手段、１３ａ　定着ベルト、
１３ｂ　加圧ローラ
１４　反転手段
２０　給紙テーブル
２１　給紙ローラ
２２　ペーパバンク
２３　給紙カセット
２４　分離ローラ
２５　給紙路
２６　搬送ローラ
２７　排出ローラ
２８　排紙トレイ
３０　スキャナ
３１　コンタクトガラス
３２　第１走行体、３２ａ　光源
３３　第２走行体、３３ａ　ミラー
３４　結像レンズ
３５　読取りセンサ
４０　原稿自動搬送装置（ＡＤＦ）
４１　原稿台
１００　被転写体搬送装置
１０１　被転写体搬送路
１０２　搬送ローラ対、１０２ａ　下搬送ローラ、
１０２ｂ　上搬送ローラ
１０３　ソレノイド
１０４　分岐搬送路、１０４ａ　分岐口、
１０４ｂ　下方向分岐搬送路、
１０４ｃ　上方向分岐搬送路
１０５　分岐爪
１１０　画像形成装置
１１１　作像手段
１１２　転写器
１１３　定着器
【図１】
2004059266.tif 000003
【図２】
2004059266.tif 000004
【図３】
2004059266.tif 000005
【図４】
2004059266.tif 000006
【図５】
2004059266.tif 000007
【図６】
2004059266.tif 000008
【図７】
2004059266.tif 000009
【図８】
2004059266.tif 000010
【図９】
2004059266.tif 000011